(57)【要約】【課題】音場となる空間形状を表す設計図が無くても、ホーン装置から外部に放射される放射音の入力音に対する割合を予測することができる、情報処理装置及びプログラムを提供する。【解決手段】遮蔽された空間内に配置された音源と、音源と対向する位置に設けられた開口部とを備えた放音装置について、開口部の開口率、及び開口部から音源までの距離の範囲の各々を入力する入力手段と、入力された開口率及び距離を用いて、音源から空間に入力される入力音のうち開口部を通過して外部に放射される放射音の割合を、予め定めた周波数について計算する第１計算手段と、を備えた情報処理装置とする。【選択図】図４
2019103096.tif 000002
【特許請求の範囲】
【請求項１】
遮蔽された空間内に配置された音源と、前記音源と対向する位置に設けられた開口部とを備えた放音装置について、前記開口部の開口率、及び前記開口部から前記音源までの距離の各々を入力する入力手段と、
入力された前記開口率及び前記距離を用いて、前記音源から前記空間に入力される入力音のうち前記開口部を通過して外部に放射される放射音の割合を、予め定めた周波数について計算する第１計算手段と、
を備えた情報処理装置。
【請求項２】
前記第１計算手段は、入力された開口率と、前記距離を用いて計算される、前記入力音により前記空間内に発生する前記周波数の定常波の振幅と、前記入力音における前記周波数の振幅とに基づいて、前記周波数についての前記放射音の割合を計算する、
請求項１に記載の情報処理装置。
【請求項３】
前記入力手段は、前記距離の範囲を入力し、
前記第１計算手段は、前記距離及び前記周波数の組合せ毎に前記放射音の割合を計算する、
請求項１または請求項２に記載の情報処理装置。  
【請求項４】
前記開口部の開口率を、前記開口部と前記空間の境界面における前記開口部の断面積の前記空間の断面積に対する比率とする、
請求項１から請求項３までのいずれか１項に記載の情報処理装置。  
【請求項５】
前記開口率、前記周波数、前記距離、及び前記放射音の割合との関係を予め記憶する記憶手段を更に備え、
前記第１計算手段は、前記関係を用いて前記放射音の割合を計算する、
請求項１から請求項４までのいずれか１項に記載の情報処理装置。  
【請求項６】
前記第１計算手段の計算結果に基づいて、音源の周波数について前記放射音の割合が最大値となる前記音源から前記開口部までの特定の距離を計算する第２計算手段を更に備える、
請求項１から請求項５までのいずれか１項に記載の情報処理装置。  
【請求項７】
前記開口部が車両のグリルであり、前記空間が前記グリルより内側に配置される、
請求項１から請求項６までのいずれか１項に記載の情報処理装置。
【請求項８】
コンピュータを、請求項１から請求項７までのいずれか１項に記載の情報処理装置の各手段として機能させるためのプログラム。
【発明の詳細な説明】
【技術分野】
【０００１】
本発明は、情報処理装置及びプログラムに関する。
【背景技術】
【０００２】
特許文献１には、室内に設けられる音源から音が発せられる場合の前記室内における所定の受音点での音圧レベルを演算によって算出する音響シミュレーション装置であって、前記室内の総表面積と、前記室内における平均吸音率との入力を受け付ける入力受付手段と、前記音源から前記受音点に向かって直接伝播する直接音の音圧レベルを算出する第１の音圧レベル算出手段と、前記入力受付手段によって受け付けられた前記総表面積と前記平均吸音率とに基づいて、前記音源から前記室内に拡散する拡散音の音圧レベルを算出する第２の音圧レベル算出手段と、前記第１の音圧レベル算出手段で算出される直接音の音圧レベルと、前記第２の音圧レベル算出手段で算出される拡散音の音圧レベルとに基づいて前記受音点での音圧レベルを算出する第３の音圧レベル算出手段と、を備えることを特徴とする音響シミュレーション装置が記載されている。
【先行技術文献】
【特許文献】
【０００３】
【特許文献１】特開２０１０−１８１８２４号公報
【発明の概要】
【発明が解決しようとする課題】
【０００４】
本発明の目的は、音場となる空間形状を表す設計図が無くても、ホーン装置から外部に放射される放射音の入力音に対する割合を予測することができる、情報処理装置及びプログラムを提供することにある。
【課題を解決するための手段】
【０００５】
上記目的を達成するために、請求項１に記載の発明は、遮蔽された空間内に配置された音源と、前記音源と対向する位置に設けられた開口部とを備えた放音装置について、前記開口部の開口率、及び前記開口部から前記音源までの距離の各々を入力する入力手段と、入力された前記開口率及び前記距離を用いて、前記音源から前記空間に入力される入力音のうち前記開口部を通過して外部に放射される放射音の割合を、予め定めた周波数について計算する第１計算手段と、を備えた情報処理装置である。
【０００６】
請求項２に記載の発明は、前記第１計算手段は、入力された開口率と、前記距離を用いて計算される、前記入力音により前記空間内に発生する前記周波数の定常波の振幅と、前記入力音における前記周波数の振幅とに基づいて、前記周波数についての前記放射音の割合を計算する、請求項１に記載の情報処理装置である。
【０００７】
請求項３に記載の発明は、前記入力手段は、前記距離の範囲を入力し、前記第１計算手段は、前記距離及び前記周波数の組合せ毎に前記放射音の割合を計算する、請求項１または請求項２に記載の情報処理装置である。  
【０００８】
請求項４に記載の発明は、前記開口部の開口率を、前記開口部と前記空間の境界面における前記開口部の断面積の前記空間の断面積に対する比率とする、請求項１から請求項３までのいずれか１項に記載の情報処理装置である。
【０００９】
請求項５に記載の発明は、前記開口率、前記周波数、前記距離、及び前記放射音の割合との関係を予め記憶する記憶手段を更に備え、前記第１計算手段は、前記関係を用いて前記放射音の割合を計算する、請求項１から請求項４までのいずれか１項に記載の情報処理装置である。
【００１０】
請求項６に記載の発明は、前記第１計算手段の計算結果に基づいて、音源の周波数について前記放射音の割合が最大値となる前記音源から前記開口部までの特定の距離を計算する第２計算手段を更に備える、請求項１から請求項５までのいずれか１項に記載の情報処理装置である。  
【００１１】
請求項７に記載の発明は、前記開口部が車両のグリルであり、前記空間が前記グリルより内側に配置される、請求項１から請求項６までのいずれか１項に記載の情報処理装置である。
【００１２】
請求項８に記載の発明は、コンピュータを、請求項１から請求項７までのいずれか１項に記載の情報処理装置の各手段として機能させるためのプログラムである。
【発明の効果】
【００１３】
請求項１、請求項８に記載の発明によれば、音場となる空間形状を表す設計図が無くても、ホーン装置から外部に放射される放射音の入力音に対する割合を予測することができる。
【００１４】
請求項２に記載の発明によれば、放射音の入力音に対する割合を理論的に予測することができる。
【００１５】
請求項３に記載の発明によれば、所定範囲の距離内で、放射音の入力音に対する割合を理論的に予測することができる。
【００１６】
請求項４に記載の発明によれば、設計図で規定されるのに比べて少ない設計値から、開口率を定義することができる。
【００１７】
請求項５に記載の発明によれば、実験的に求める場合に比べ、放射音の入力音に対する割合が容易に求められる。
【００１８】
請求項６に記載の発明によれば、放射音の入力音に対する割合が最大になる音源の配置位置を求めることができる。
【００１９】
請求項７に記載の発明によれば、車両の設計図が無くても、車両のグリルに設けられた開口部から外部に放射される放射音の入力音に対する割合を予測することができる。
【図面の簡単な説明】
【００２０】
【図１】車両用のホーン装置の構成の一例を示す概略図である。
【図２】ホーン装置の音場モデルの一例を示す模式図である。
【図３】ホーン装置の開口率を説明するための模式図である。
【図４】ホーン装置の設計方法の手順の一例を示すフローチャートである。
【図５】定常波を表す関数の導出手順を説明するための模式図である。
【図６】透過係数の導出手順を説明するための模式図である。
【図７】透過率の距離及び周波数各々に対する依存性と音源の周波数特性とを示すグラフである。
【図８】情報処理装置の電気的構成の一例を示すブロック図である。
【図９】プログラムの流れの一例を示すフローチャートである。
【図１０】設定画面の一例を示す平面図である。
【図１１】透過率と距離との関係を示すグラフである。
【発明を実施するための形態】
【００２１】
以下、図面を参照して本発明の実施の形態の一例を詳細に説明する。
【００２２】
＜ホーン装置＞
まず、車両用のホーン装置の構造について説明する。
図１は車両用のホーン装置の構成の一例を示す概略図である。車両用のホーン装置は、エンジンルームの最前部に搭載されている。エンジンルームの最前部は、モールやカバーで覆われて、内部が遮蔽された空間となっている。空間前部には、フロントグリルが設けられている。遮蔽された空間は、フロントグリルにより、外部に開口している。
【００２３】
ホーン装置の音源であるホーンは、開口部（フロントグリル）と対向する位置に配置されている。例えば、点Ｉ（Input）に音源を配置し、点Ｏ（Output）に開口部を配置する。点Ｉから点Ｏに向かう方向が、音進行方向である。音源から入力された入力音（音波）は、遮蔽された空間内を伝播する。遮蔽された空間が、音波が存在する領域、即ち、音場である。
【００２４】
本実施の形態では、ホーン装置の音場をモデル化する。図２はホーン装置の音場モデルの一例を示す模式図である。音場モデルでは、音場に相当する空間１０は、互いに対向する第１境界面１０Ａと第２境界面１０Ｂとの間に位置する。
【００２５】
第１の境界面１０Ａには音源１２が配置されている。第２の境界面１０Ｂの音源１２に対向する位置には、開口部１４が設けられている。開口部１４から音源１２までの距離を「距離Ｌ１」とする。
【００２６】
図示した例では、空間１０の形状は、音進行方向に延びる円筒状とされている。なお、空間１０は、遮蔽された空間であればよく、空間１０の形状は、断面形状が円の円筒状には限定されない。例えば、空間１０の形状を、断面形状が矩形状の直方体としてもよい。
【００２７】
図３はホーン装置の開口率を説明するための模式図である。第２の境界面１０Ｂにおける、空間１０の断面積をＳ１、開口部１４の断面積をＳ０とする。開口部１４の開口率を「開口率ｍ」とする。開口率ｍは（Ｓ０/Ｓ１）で表される。
【００２８】
本実施の形態では、音源１２から発生する音波は、平面波であると仮定する。平面波は、音源が配置される面に平行な平面上で音圧が一様である。また、音源１２が配置される第１境界面１０Ａでの反射係数を１、透過係数を０とする。
【００２９】
第２境界面１０Ｂに向かう音波の一部は、開口部１４を通過して外部に放出される。第２境界面１０Ｂに向かう音波の残部は、第２境界面１０Ｂで反射される。また、第１境界面１０Ａに向かう音波は、第１境界面１０Ａで反射される。進行方向や位相が異なる複数の音波の干渉により、空間１０内では定常波が発生する。
【００３０】
本実施の形態では、上記の通り、距離Ｌ１及び開口率ｍの各々が定義された音場モデルを用いて、開口部１４を通過して外部に放射される放射音の入力音に対する割合（透過率）を予測する。音場となる空間形状の詳細寸法を規定する設計図は用いない。
【００３１】
＜ホーン装置の設計方法＞
次に、ホーン装置の設計方法について説明する。
図４はホーン装置の設計方法の手順の一例を示すフローチャートである。
本実施の形態に係るホーン装置の設計方法は、設定空間を定義する工程（ステップ１００）、透過率を最適化する工程（ステップ２００）、音源の周波数を特定する工程（ステップ３００）、及び最適距離を出力する工程（ステップ４００）を含む。
【００３２】
（設定空間を定義する工程）
設定空間を定義する工程では、開口部の開口率、及び開口部から音源までの距離を入力値（設計変数）として、設計空間である音場モデルを定義する。ここでは、距離Ｌ１が取り得る範囲を設定する。
【００３３】
（音源の周波数を特定する工程）
周波数を特定する工程では、まず、音源の周波数特性を取得する（ステップ３０２）。次に、ステップ３０２で取得された周波数特性から、音源において支配的な周波数を特定する（ステップ３０４）。特定された周波数を「音源の周波数」という。
【００３４】
（透過率を最適化する工程）
透過率を最適化する工程では、大きく分けて２段階で透過率を最適化する。ここで、透過率とは、開口部を通過して外部に出力される放射音の、音源から空間に入力される入力音に対する割合をいう。まず、設定された距離の範囲で、開口部から音源までの距離及び周波数の組合せ毎に、透過率を計算する（ステップ２０２）。
【００３５】
次に、ステップ２０２で得られた計算結果と、周波数を特定する工程で得られた音源の周波数とを用いて、音源の周波数を有する放射音の透過率を、最適化する最適距離を特定する（ステップ２０４）。ここで、最適化とは、透過率を目標値に近づけることを意味する。目標値は、例えば、最大値や最小値などとしてもよい。以下、透過率を計算する工程（ステップ２０２）について簡単に説明する。詳細は後述する。
【００３６】
まず、空間内に発生する定常波を求める（ステップ２１２）。続いて、空間と開口部との境界面での透過係数を求める（ステップ２１４）。次に、定常波に透過係数を乗算して放射音を求める（ステップ２１６）。そして、放射音の入力音に対する割合である透過率を求める（ステップ２１８）。
【００３７】
定常波は、距離Ｌ１及び波数ｋを変数とする関数で表される。ｋは、波数を表す。波数とは、単位長さあたりの波の数である。波数ｋと周波数ｆとの関係は、ｆ＝ｃｋで表される（ｃは音速）。音源の周波数ｆ１は、波数ｋ１に換算される。透過係数は、開口率ｍを変数とする関数で表される。
【００３８】
したがって、透過率を計算する工程では、種々の距離Ｌ１及び波数ｋを入力値として計算した結果、距離Ｌ１及び波数ｋに応じた放射音の透過率が出力される。また、音源の周波数ｆ１に応じた波数ｋ１が与えられた場合は、距離Ｌ１及び波数ｋ１に応じた放射音の透過率が出力される。
【００３９】
（最適距離を出力する工程）
最適距離を出力する工程では、ステップ２０４で特定された最適距離が、最適設計値として出力される。例えば、ホーン装置の設計では、音源の周波数に応じた波数ｋ１を表す数値が入力されると、放射音の透過率を最大化する距離Ｌ１bestを表す数値が出力される。
【００４０】
（定常波）
次に、音源の周波数に応じた波数ｋ１の定常波の導出について説明する。
図５は定常波を表す関数の導出手順を説明するための模式図である。
音源からの入力に対する、空間内における音圧の定常応答を算出する。最初に、前進成分の振幅Ａ１、後進成分の振幅Ｂ１の音波がそれぞれ進行し、音場内を往復した後の振幅Ａ１’、Ｂ１’への変化を下記式（１）であらわす。
【００４１】
【数１】
2019103096.tif 000003
【００４２】
空間内に発生する定常波の前進成分の振幅をＡＳ、後進成分の振幅をＢＳとする。前進成分の振幅ＡＳ、後進成分の振幅ＢＳの各々は、下記式（２）で表される。
【００４３】
【数２】
2019103096.tif 000004
【００４４】
上記式（１）及び上記式（２）において、ｒ１Ｌは、空間と開口部との第２境界面での反射係数である。ｒ１Ｒは、音源が配置される第１境界面での反射係数である。Ｌ１は、開口部から音源までの距離を表す。
【００４５】
また、Ｂｉｎｐｕｔは、音源から入力される入力音の振幅である。Ｉは、単位行列である。ｉは、音波の反射回数である。上記式（２）では、反射回数を無限回（ｉ＝∞）とすることで定常波が計算される。
【００４６】
（透過係数）
次に、透過係数の導出について説明する。
図６は透過係数の導出手順を説明するための模式図である。本実施の形態では、空間と開口部とで断面積変化が生じていると仮定して、透過係数を解析的に定義する。なお、開口部の透過係数は、実験的に同定してもよい。
【００４７】
まず、断面積変化部においては、音圧ｐの連続性、体積速度Ｕの連続性より下記式（３）及び（４）が成り立つ。添え字は音場の番号である。開口部の音場を音場０とし、空間の音場を音場１とする。
【００４８】
【数３】
2019103096.tif 000005
【００４９】
上記式（３）のｐ０は開口部の音圧を表し、ｐ１は空間の音圧を表す。上記式（４）のＵ０は開口部の体積密度を表し、Ｕ１は空間の体積密度を表す。また、音圧ｐは下記式（５）で表され、体積速度Ｕは下記式（６）で表される。
【００５０】
【数４】
2019103096.tif 000006
【００５１】
上記式（５）及び上記式（６）において、ｉは０または１である。Ｓ０は開口部の断面積を表し、Ｓ１は空間の断面積を表す。ρ０は開口部内の空気の密度を表し、ρ１は空間内の空気の密度を表す。ｃ０は開口部内での音速を表し、ｃ１は空間内での音速を表す。ωは角周波数である。
【００５２】
後進成分の振幅Ｂ０の音波が音場０を伝播する。前進成分の振幅Ａ１、後進成分の振幅Ｂ１の音波が音場１を伝播する。ここでは、音場１から音場０への入射を考える。なお、音場０から境界に入射する音波は無いので、前進成分の振幅Ａ０＝０である。
【００５３】
上記式（３）に上記式（５）を代入し、Ａ０＝０、ｘ＝０とすると、下記式（３-１）が得られる。
【００５４】
【数５】
2019103096.tif 000007
【００５５】
上記式（４）に上記式（６）を代入し、Ａ０＝０、ｘ＝０、ρ０＝ρ１、ｃ０＝ｃ１とすると、下記式（４-１）が得られる。
【００５６】
【数６】
2019103096.tif 000008
【００５７】
上記式（３−１）及び上記式（４−１）から、下記式（４−２）の関係が得られる。
【００５８】
【数７】
2019103096.tif 000009
【００５９】
断面積変化部の透過係数ｔＧは、放射音の振幅Ｂ０の入力音の振幅Ｂ１に対する割合であり、上記式（４−２）の関係を用いて下記式（７）であらわされる。
【００６０】
【数８】
2019103096.tif 000010
【００６１】
上記式（７）において、ｍは、開口部の開口率であり、空間の断面積と開口部の断面積との比率で表される（ｍ＝Ｓ０/Ｓ１）。
【００６２】
（透過率）
透過係数ｔＧを定常波に乗算することで、開口部を通過して外部に放射される放射音ｔＧＢｓが得られる。ホーンから入力される音のうち、音源の周波数ｆ１の音に着目する。周波数ｆ１の入力音の振幅Ｂｉｎｐｕｔのうち、周波数ｆ１の放射音ｔＧＢｓの割合を「透過率αＴ」として下記式（８）で定義する。
【００６３】
【数９】
2019103096.tif 000011
【００６４】
開口部から音源までの距離Ｌ１及び周波数ｆ（＝ｋｃ）各々の複数の組合せに対して、上記式（８）で表される透過率αＴを計算する。計算結果を、図７にグラフで示す。
【００６５】
図７は透過率の距離及び周波数各々に対する依存性と音源の周波数特性とを示すグラフである。横軸が周波数ｆであり、縦軸（左側）が距離Ｌ１である。透過率αＴの大きさは濃淡で示す。グラフの下方に併記したゲージに示すように、透過率αＴは０から１までの範囲であり、黒色に近いほど透過率が大きく、白色に近いほど透過率が小さい。
【００６６】
また、図７には、音源の周波数特性が実線で図示されている。横軸が周波数ｆであり、縦軸（右側）が音圧である。この音源の場合は、８倍音、９倍音である３０００Ｈｚ付近の周波数が支配的である。音源の周波数ｆ１は、３０００Ｈｚである。
【００６７】
したがって、周波数３０００Ｈｚ付近で、透過率αＴを最適化する最適距離Ｌ１bestを特定する。例えば、透過率αＴを最大化するには、開口部から音源までの距離Ｌ１が「０．０８ｍ」や「０．１４ｍ」となるように、音源を配置すればよいことが分かる。
【００６８】
＜プログラム＞
次に、情報処理装置で実行されるプログラムについて説明する。
図８は情報処理装置の電気的構成の一例を示すブロック図である。図８に示すように、情報処理装置２０は、情報処理部２１を備えている。情報処理部２１は、各種演算を行うコンピュータとして構成されている。即ち、情報処理部２１は、ＣＰＵ（中央処理装置;  Central Processing Unit）２１Ａ、ＲＯＭ（Read Only Memory）２１Ｂ、ＲＡＭ（Random Access Memory）２１Ｃ、不揮発性のメモリ２１Ｄ、及び入出力部（Ｉ／Ｏ）２１Ｅを備えている。
【００６９】
ＣＰＵ２１Ａ、ＲＯＭ２１Ｂ、ＲＡＭ２１Ｃ、メモリ２１Ｄ、及びＩ／Ｏ２１Ｅの各々は、バス２１Ｆを介して接続されている。ＣＰＵ２１Ａは、例えばＲＯＭ２１Ｂに記憶されたプログラムを読み出し、ＲＡＭ２１Ｃをワークエリアとして使用してプログラムを実行する。また、情報処理部２１のＩ／Ｏ２１Ｅには、ディスプレイ等の表示部２２、キーボードやマウス等の入力部２４、通信部２６、及び記憶部２８が接続されている。
【００７０】
通信部２６は、有線又は無線の通信回線を介して外部装置と通信を行うためのインターフェースである。例えば、ＬＡＮ（Local Area Network）、インターネット等のネットワークに接続されたコンピュータ等の外部装置と通信を行うためのインターフェースとして機能する。記憶部２８は、ハードディスク等の外部記憶装置である。
【００７１】
本実施の形態では、ホーン装置の放射特性のシミュレーションを行うためのプログラムが、記憶部２８に記憶されている。また、上記した「透過率αＴ」を表す関数も記憶部２８に記憶されている。
【００７２】
なお、プログラムや関数を記憶する記憶領域は記憶部２８には限定されない。各種プログラムや関数は、メモリ２１ＤやＲＯＭ２１Ｂ等の他の記憶装置に記憶されていてもよく、通信部２６を介して外部装置から取得してもよい。
【００７３】
また、情報処理部２１には、各種ドライブが接続されていてもよい。各種ドライブは、ＣＤ−ＲＯＭ、ＵＳＢ（Universal Serial Bus)メモリなどのコンピュータ読み取り可能な可搬性の記録媒体からデータを読み込んだり、記録媒体に対してデータを書き込んだりする装置である。各種ドライブを備える場合には、可搬性の記録媒体にプログラムや関数を記録しておいて、これを対応するドライブで読み込んで実行してもよい。
【００７４】
次に、シミュレーション用のプログラムの流れについて説明する。
図９はプログラムの流れの一例を示すフローチャートである。
シミュレーション用のプログラムは、利用者によりプログラムの実行が指示されると、情報処理装置２０のＣＰＵ２１Ａにより記憶部２８から読み出されて実行される。
【００７５】
まず、ステップ６００で、開口率、開口部から音源までの距離、周波数（波数）、及び透過率各々の関係が取得される。例えば、上記式（８）が記憶装置から読み出される。次に、ステップ６０２で、表示部に設定画面を表示する。図１０は設定画面の一例を示す平面図である。図１０に示すように、設定画面３０は、音場モデル３２、設定欄３４、３６、３９、４０、４１、選択肢３８、実行ボタン４２、キャンセルボタン４４等を備えている。
【００７６】
音場モデル３２は、音場モデルを定義する各種変数を図示する。設定欄３４は、開口率ｍの値を設定する欄である。設定欄３６は、音源の周波数ｆ１の値を設定する欄である。選択肢３８は、「最適距離を求める。」、「設定距離での透過率を求める。」、「距離と透過率の関係を表示する。」の３つの選択肢を表示する。
【００７７】
「最適距離を求める。」の選択肢は、開口部から音源までの距離Ｌ１の取り得る範囲（下限値/上限値）を設定する設定欄３９を伴う。「設定距離での透過率を求める。」の選択肢は、開口部から音源までの距離Ｌ１を設定する設定欄４０を伴う。「距離と透過率の関係を表示する。」の選択肢は、開口部から音源までの距離Ｌ１の取り得る範囲（下限値/上限値）を設定する設定欄４１を伴う。
【００７８】
次に、ステップ６０４で、設定を受け付ける。例えば、図１０に示す例では、利用者により開口率ｍ及び音源の周波数ｆ１各々の値が設定され、選択肢の１つが選択されて、実行ボタン４２が押されると、設定が受け付けられる。なお、「設定距離での透過率を求める。」が選択された場合は、距離Ｌ１の値も設定されている。その他の場合は、距離Ｌ１の取り得る範囲（下限値/上限値）が設定されている。
【００７９】
次に、ステップ６０６で、設定された周波数について、距離毎に透過率を計算する。周波数は波数に換算される。開口率、開口部から音源までの距離、周波数（波数）、及び透過率各々の関係において、開口率と波数（周波数）とが与えられると、透過率は距離の関数になる。図１１は透過率と距離との関係を示すグラフである。例えば、透過率と距離との関係は、横軸を距離、縦軸を透過率とするグラフで与ええられる。
【００８０】
次に、ステップ６０８で、「最適距離を求める。」が選択されたか否かを判断する。選択された場合は、ステップ６１０に進み、選択されていない場合は、ステップ６１４に進む。ステップ６１０では、設定された開口率及び周波数の下で、透過率を最適化する距離が計算される。ステップ６１２で、透過率を最適化する最適距離を表示して、ルーチンを終了する。
【００８１】
ステップ６１４では、「設定距離での透過率を求める。」が選択されたか否かを判断する。選択された場合は、ステップ６１６に進み、選択されていない場合は、ステップ６２０に進む。ステップ６１６では、設定された開口率及び周波数の下で、設定された距離に応じた透過率を計算する。続くステップ６１８で、計算された透過率を表示して、ルーチンを終了する。  
【００８２】
「設定距離での透過率を求める。」が選択されていない場合は、「距離と透過率の関係を表示する。」が選択されている。したがって、ステップ６２０で、設定された周波数に応じた透過率と距離との関係を表示して、ルーチンを終了する。
【００８３】
＜変形例＞
なお、上記実施の形態で説明した情報処理装置及びプログラムの構成は一例であり、本発明の主旨を逸脱しない範囲内においてその構成を変更してもよいことは言うまでもない。
【００８４】
例えば、上記の実施の形態では、車両用のホーン装置の音場をモデル化する例について説明したが、このモデルは、遮蔽された空間内から外部に音が放射される他の音場にも適用することができる。
【符号の説明】
【００８５】
１０   空間
１０Ａ 境界面
１０Ｂ 境界面
１２   音源
１４   開口部
２０   情報処理装置
２１   情報処理部
２２   表示部
２４   入力部
２６   通信部
２８   記憶部
３０   設定画面
３２   音場モデル
３４   設定欄
３６   設定欄
３８   選択肢
３９   設定欄
４０   設定欄
４１   設定欄
４２   実行ボタン
４４   キャンセルボタン
【図１】
2019103096.tif 000012
【図２】
2019103096.tif 000013
【図３】
2019103096.tif 000014
【図４】
2019103096.tif 000015
【図５】
2019103096.tif 000016
【図６】
2019103096.tif 000017
【図７】
2019103096.tif 000018
【図８】
2019103096.tif 000019
【図９】
2019103096.tif 000020
【図１０】
2019103096.tif 000021
【図１１】
2019103096.tif 000022